(57)【特許請求の範囲】
【請求項１】
表面にエンブレムを設けることができるエアバッグカバーにおいて、
前記エンブレムを支持するプレートの周囲には舌状体が複数形成され、
前記エアバッグカバーの裏面には、前記舌状体が貫通する開口部が形成され、更に、当該開口部を貫通して延びる前記舌状体の輪郭形状に対応して成形された凹部が形成され、
前記舌状体は、狭い首部領域と拡大部とを備え、前記開口部と前記凹部との境界にある曲げ縁部で屈曲される構成であり、
前記凹部は、第１の外部の凹部と、そこから内面側へ突出し、前記第１の凹部に対して曲げ縁部の方向へずらされた第２の凹部とによって形成されており、
第１の工程において、前記開口部を通して案内された前記舌状体が前記曲げ縁部の回りに曲げられ、前記第１の凹部の中に収容され、第２の工程において、前記舌状体は前記第２の凹部の中へ嵌入され、前記第２の凹部と前記舌状体との間に完全な形状嵌合が付与されるとともに、
前記舌状体の首部領域は、前記第１の凹部と前記第２の凹部の間の間隔に相当する段部に変形され、これによって、前記プレートを固定することを特徴とするエアバッグカバー。
【請求項２】
前記舌状体は、全体的に矢形の輪郭を有することを特徴とする請求項１に記載のエアバッグカバー。
【発明の詳細な説明】
【技術分野】
【０００１】
本発明は、車両アセンブリ、特にたとえば製造者エンブレムの支持体として前記車両アセンブリに固定されたプレートを備えるエアバッグカバーにおいて、前記プレートが前記車両アセンブリをその周囲にわたって配分して配設された舌状体と共に前記車両アセンブリに配設された開口部の中に差し入れ、かつ前記舌状体を車両アセンブリの裏面側に適合させて成形した凹部の中に前記開口部と前記凹部の間に配設された曲げ縁部で曲げられている車両アセンブリに関する。
【背景技術】
【０００２】
エアバッグカバー体の形態における車両アセンブリは、日本国特許公開公報平１１−１８９１１９号明細書に記載されている。特に自動車のステアリングホイールに配設されたエアバッグのカバー体上にその上にある製造者記号を有する金属板を取り付けることが通常行われている限りにおいて、前記日本国特許公開公報平１１−１８９１１９号明細書から公知のカバー体において前記金属板にその外側周縁部からプレートに対して直角に突出する楕円形の舌状体を形成することが考慮されている。前記舌状体は、ステアリングホイールカバー上へ金属板を差し込む際にそれに合わせて形成された溝状の開口部を通して導通され、かつカバーの裏面側もしくは内面側で前記カバーに当接して曲げられる。曲げた後で前記舌状体を固定するために、前記カバーの裏面側に同様に楕円形の形状を有し、かつその限りで曲げられた舌状体の自由端を適合してその中へ収容する凹部がそれに形成されている。その際、ステアリングホイールカバーの開口部と凹部の間に相応の曲げ縁部が配設されている。
【０００３】
前記公知の取付け方法には、前記舌状体が相応の力がかかることにより組み込まれた曲げ縁部を超えて前記凹部から滑り出しもしくはそこから引っ張りだされ得るという欠点がともなっている。エアバッグカバーにおいてエアバッグの解除時に相応の力が作用し得る限り、エアバッグカバーへの金属板の前記取付け方式は十分に確実なものではない。金属板の取付けの安全性を改善するために、この種の公知の固定配置において、曲げられた舌状体の付加的な固定としては、熱処理または超音波溶接を行うことが考えられる。しかしながら、それらにはコストおよび作業集中的である付加的な装置および加工工程が結び付いている。
【先行技術文献】
【特許文献】
【０００４】
【特許文献１】日本国特許公開公報平１１−１８９１１９号
【発明の概要】
【発明が解決しようとする課題】
【０００５】
従って、本発明は、車両アセンブリへ確実かつ簡単に実施できるプレートの固定を分類に基づく特徴に従って考慮する課題を基礎においている。
【課題を解決するための手段】
【０００６】
本発明は、その基本思想において、舌状体の少なくとも１つが車両アセンブリ内の開口部を通して到達する狭い首部領域から出発してその自由端に断面拡大部を具備しており、かつ前記車両アセンブリに形成された凹部が舌状体の輪郭に相当する形状を有することを考慮する。前記舌状体が前記凹部の中へ曲げた後で割り当てられた凹部との形状嵌合結合を生じる限り、前記舌状体の断面拡大部が前記舌状体の狭い首部領域に形状相応に適合された凹部の領域を通して合致せず、かつその限りで前記凹部のアンダカット縁部に引っ掛けるために、前記凹部からの前記舌状体の引出しが確実に回避されている。従って、熱処理または超音波溶接のような曲げられた舌状体の付加的な固定は省くことができる。
【０００７】
本発明の適用は、その際エアバッグカバーでの金属またはプラスチック製のプレートの固定に制限されず、むしろその他の、たとえばラジエータグリル、ホイールキャップ等のような車両部品においても相応の固定問題および固定要求が生じている。
【０００８】
本発明の一実施例に従って、舌状体が狭い首部領域と矢尖端状の拡大部とを備える全体的に矢形の輪郭を有する限り、個々の舌状体は簡単かつ廉価に製造できる輪郭を有する。
【０００９】
組み込まれた車両アセンブリへのプレートの固定は、本発明の一実施例に従って凹部が車両アセンブリ内に２段階で、第１のステップで曲げ縁部でに曲げられた舌状体の収容に利用される第１の外部のステップと、それに内部へ突出する、第２のステップで凹部の前記第２のステップへ嵌入される舌状体を収容するための第２のステップとによって形成されており、舌状体の狭い首部領域が第２のステップで第１の凹部ステップと第２の凹部ステップの間の間隔に相当する段部に変形されていることによってさらに改善される。本発明により形成された舌状体と凹部の間の形状嵌合の上の方に、舌状体の狭い首部領域の中に成形された段部は、成形された前記段部が前記凹部からの舌状体の引出しの試行の際に作用する力方向への角度で成形されており、かつ付加的に前記舌状体を前記凹部からゆるめるために、前記段部の逆変形が必要になるために前記凹部からの舌状体の引出しを阻止する。
【００１０】
舌状体の狭い首部領域への段部の成形が強制的にその長手延伸部の短縮を惹き起こす限りにおいて、舌状体と組み込まれた凹部の間の形状嵌合を維持するために、第２の凹部ステップが第１の凹部ステップに対して半径方向に曲げ縁部の方向へ前記段部の成形によって生じる舌状体の狭い首部領域の短縮長さの寸法だけずれていることが考慮されている。
【００１１】
図面に本発明の一実施例が再現されており、以下これを説明する。
【図面の簡単な説明】
【００１２】
【図１】車両アセンブリに固定される金属板の、図示しない舌状体を収容するための前記金属板に取り付けられた凹部を有する前記金属板を支持する車両アセンブリとしてのエアバッグカバー体の背面図。
【図２】エアバッグカバー体に形成された凹部の第１のステップへの金属板の舌状体の差込みおよび曲げ後の図１の物体。
【図３】凹部の第２のステップへの曲げられた舌状体の嵌入後の図２の物体。
【発明を実施するための形態】
【００１３】
図１から明らかなように、平面図に示したエアバッグカバー体１０の裏面側に車両アセンブリとして凹部１１から突出したエアバッグカバー体１０の（前面）側に載置された金属板の、図１でまだ明白ではない固定舌状体を収容するための凹部１１が形成されている。前記凹部１１が形状相応に図示しない舌状体の輪郭によって形成されている限りにおいて、以下の凹部１１の形状付与に関する説明は舌状体の形勢にも関係する。その限りで、凹部１１および舌状体は同様に、それぞれ１つの狭い首部領域１２と、矢尖端状の断面拡大部１３とを有する矢形の輪郭によって形成されている。それに対応して、凹部１１の矢尖端状の断面拡大部１３と狭い首部領域１２の間の移行部に舌状体もしくは凹部１１の長手方向への引張荷重により矢尖端状の断面拡大部１３を引っ掛けるアンダカット縁部１４が形成されている。狭い首部領域１２の外部半径方向端部に、舌状体を差し込むための開口部２０が形成されており、前記開口部２０と凹部１２の間に曲げ縁部２１回りに前記開口部２０を通して差し込まれた舌状体が曲げられる曲げ縁部が形成されている。
【００１４】
凹部は、２段階で第１の外部の凹部ステップ１５と、そこから内面側へ突出する第２の凹部ステップ１６とによって形成されている。図１から明らかなように、第２の凹部ステップ１６は第１の凹部ステップ１５に対して半径方向に、以下に説明する寸法だけ曲げ縁部２１の方向へずらされている。
【００１５】
図２から明らかなように、第１のステップにおいて、開口部２０を通して案内された舌状体１７が曲げ縁部２１回りに曲げられており、かつ形状に対応して形成された第１の凹部ステップ１５で曲げられる。その際に図２から、すでに凹部１１内の舌状体１７の形状対応の収容が識別され、舌状体１７は第１の凹部ステップ１５の中に収容されている。
【００１６】
図３から明らかなように、すでに第１の凹部ステップ１５の中へ曲げられた舌状体１７は対応して考慮された工具を利用して再度打ちつけられ、前記第２のステップにおいて凹部１１の第２の凹部ステップ１６の中へ嵌入される；前記第２のステップにおいて舌状体１７の狭い首部領域１２は、第１の凹部ステップ１５と第２の凹部ステップ１６の間の間隔に相当する段部１８に変形され、かつ舌状体１７の狭い首部領域１２の中へ段部１８の成形によってそれぞれ狭い首部領域１２の短縮長さが始まる限り、第２の凹部ステップ１６は第１の凹部ステップ１５に対してまさに段部１８の成形によって生じる短縮長さの寸法だけ半径方向にずらされており、その結果、第２の凹部ステップ１６の中への舌状体１８の嵌入後でも舌状体１７と凹部１１の間に完全な形状嵌合が付与されている。
【００１７】
前記明細書、特許請求の範囲、要約書および図面に開示された本書類の目的の特徴は、個別的にまた相互の任意の組合せにおいても本発明の実現のためにその種々の実施形態において本質的であるとすることができる。
【図１】
0005683456.tif 000002
【図２】
0005683456.tif 000003
【図３】
0005683456.tif 000004